(57)【特許請求の範囲】
【請求項１】
適宜間隔を設けて立ち上がる少なくとも２本の縦枠部材と、
少なくとも２本の横枠部材を隙間を設けて連結して形成してあり、前記縦枠部材の上端部側に架け渡した上側枠部材と、
横長孔と、裏面側に、ナットの二面幅と略同幅とした横方向に伸びるリップ溝形のナット挿入部とを備え、前記上側枠部材に固定するブラケットと、
面一に並列させた複数の透明板材に設けた孔部に挿し通しつつ、前記横長孔に挿し通し、前記ナット挿入部に挿入したナットに締結して前記透明板材を前記上側枠部材に固定するための締結部材と、
を備えたラケットボール競技用コートの壁面構造。
【請求項２】
前記縦枠部材と隙間を設けて配し、前記縦枠部材の下端部側に配した下側枠部材と、
前記下側枠部材に設けた孔部と、
前記透明板材に設けた孔部に挿し通しつつ、前記下側枠部材の孔部に挿し通して前記透明板材を前記下側枠部材に固定するための締結部材と、
を備えた請求項１に記載のラケットボール競技用コートの壁面構造。
【請求項３】
前記横枠部材を連結する連結具を備え、前記連結具は前記ブラケットを兼ねた構成とした請求項１又は２に記載のラケットボール競技用コートの壁面構造。
【請求項４】
前記縦枠部材、前記上側枠部材及び前記下側枠部材はアルミ材から形成してなる請求項１〜３のいずれかに記載のラケットボール競技用コートの壁面構造。
【請求項５】
請求項１〜４のいずれかに記載の壁面構造を備えたラケットボール競技用コート。
【発明の詳細な説明】
【技術分野】
【０００１】
本発明は、ラケットでボールを壁面に打ち当てる競技、例えば、パデルやスカッシュなどの競技用コートの壁面を形成する壁面構造に関する。
【背景技術】
【０００２】
近年、新しいスポーツとしてスカッシュやパデルなど（以下、ラケットボール競技ともいう。）が日本国内でも普及しつつある。スカッシュやパデルはともにテニスに似た競技であるが、少なくとも前後を壁に囲まれたコートで行うものである。
スカッシュは、シングルスにおいて２名がラケットを使用してボールを交互に打ち合い、全ての打球は前方の壁に向かって打つ必要があるが、他の壁を利用してもよい。
パデルは、テニスと似たルールであるが、前後を壁で囲まれたコートで行なわれ、壁を利用して打ち返してもよい競技である。
【０００３】
ラケットボール競技用コートに関する発明としては、例えば、以下に示すものがある。
下記特許文献１には、長方形のゲームフロアーの前後及び左右に立設されるフロントウォール、バックウォール、及び一対のサイドウォールがそれぞれ合成樹脂材料からなる複数枚の透明な壁板が用いられて形成され、前記各ウォール相互が室温変化による熱膨張によって押し合わないように、それらの各ウォールの少なくとも一端側にその伸長を許容する隙間が形成されるか、もしくは、隣合う二つのウォールのうちの一方の端部と他方の端部とがＴ字を呈するように配置されて双方が外方に向けて伸長できるようにされていることを特徴とするスカッシュ等の競技用コートが示され、透明な合成樹脂材料の膨張を吸収できるようにしてある。
【０００４】
下記特許文献２には、長方形のゲームフロアーの前後及び左右にそれぞれフロントウォール、バックウォール、及びサイドウォールが立設されてなり、前記四面のウォールのうちの少なくとも一つが、競技用の壁面を形成する合成樹脂材料からなる透明な板状壁体と、この板状壁体と同一の合成樹脂材料からなり、前記板状壁体の外面に直交するようにその一端面が当接せしめられた板状の補強支持体と、所要の長さを有する長穴が横向きに形成されていて前記板状壁体の外面に当接せしめられた横辺部と前記補強支持体に固定された縦辺部とからなるＬ形アングル部材と、前記板状壁体と補強支持体とを前記Ｌ形アングル部材を介して連結すべく、前記Ｌ形アングル部材の横辺部に形成された長穴に挿入されてその雄ねじ部が前記板状壁体に螺入されたボルト類と、を具備して構成されており、前記補強支持体に対して前記板状壁体が前記長穴の長さに応じて横幅方向に伸縮移動できるようにされていることを特徴とする、スカッシュ及びラケットボール競技用コートが示され、透明な合成樹脂材料の膨張を吸収できるようにしてある。
【０００５】
また、下記特許文献３には、複数の分割基台をボルト類等を用いて必要に応じて分離できるように連結して矩形の枠台を組み立て、この枠台に複数の分割壁体をボルト類等を用いて必要に応じて取り外すことができるように取り付けるとともに、前記分割壁体のうちの隣合うもの同士をボルト類等を用いて必要に応じて分離できるように連結することにより、フロントウォール、バックウォール、及び左右のサイドウォールを形成するようにされてなるスカッシュ等の競技用コートが示され、スカッシュやパデルなどの競技用コートを容易に設置及び撤去ができるようにしてある。
【先行技術文献】
【特許文献】
【０００６】
【特許文献１】特開平７−３１７３５０号公報
【特許文献２】特開平７−１２４２８７号公報
【特許文献３】特開平７−３１７３４９号公報
【発明の概要】
【発明が解決しようとする課題】
【０００７】
上記特許文献１〜３に記載の競技用コートは、壁面に透明な壁板を用いるものであり、コート外側からも競技を観戦することができ、観戦者も楽しめるものである。
しかし、壁板同士の境目付近には、壁板を支持するため柱状の支持板などが設けてあり、このような支持板により、観戦者の視界が遮られ競技が見にくくなることがあった。また、部材の熱膨張により壁面が歪んでしまうという問題も生じていた。
【０００８】
そこで、本発明の目的は、観戦者の視界を良好にし、競技を観戦しやすくしたラケットボール競技用コートの壁面構造を提供することにあり、さらには、フレームと透明板材との熱膨張差による壁面の歪みが生じにくい壁面構造を提供する。
【課題を解決するための手段】
【０００９】
本発明の一実施形態のラケットボール競技用コートの壁面構造は、適宜間隔を設けて立ち上がる少なくとも２本の縦枠部材と、少なくとも２本の横枠部材を隙間を設けて連結して形成してあり、前記縦枠部材の上端部側に架け渡した上側枠部材と、横長孔と、裏面側に、ナットの二面幅と略同幅とした横方向に伸びるリップ溝形のナット挿入部とを備え、前記上側枠部材に固定するブラケットと、面一に並列させた複数の透明板材に設けた孔部に挿し通しつつ、前記横長孔に挿し通し、前記ナット挿入部に挿入したナットに締結して前記透明板材を前記上側枠部材に固定するための締結部材と、を備えたことを特徴とする。
【００１０】
このような構成とすることにより、複数の透明板材間に柱などを設けることなくラケットボール競技用コートの壁面を形成でき、観戦者の視界を良好にし、競技を観戦しやすくすることができる。また、上側枠部材は、横枠部材を隙間を設けて連結して形成してあり、また、透明板材とそれを支持する上側枠部材とは、締結部材を横長孔に挿し通して固定してあるため、上側枠部材や透明板材が熱膨張により伸縮しても、熱膨張率の違いにより、壁面が歪んでしまうことを防ぐことができる。
【００１１】
上記形態のラケットボール競技用コートの壁面構造は、前記縦枠部材と隙間を設けて配し、前記縦枠部材の下端部側に配した下側枠部材と、前記下側枠部材に設けた孔部と、前記透明板材に設けた孔部に挿し通しつつ、前記下側枠部材の孔部に挿し通して前記透明板材を前記下側枠部材に固定するための締結部材と、を備えることができる。
【００１２】
このような構成とすることにより、透明板材を固定する下側枠部材が、縦枠部材に隙間を設けて配してあるため、下部枠部材が熱などにより膨張しても縦枠部材に干渉することなく縦枠部材が歪みにくい。
【００１３】
上記形態のラケットボール競技用コートの壁面構造は、２本の横枠部材を連結する連結具を備え、前記連結具は前記ブラケットを兼ねた構成とすることができる。
【００１４】
このような構成とすることにより、連結具とブラケットの機能を兼ね備えることができ、壁面の施工が容易に行うことができる。
【００１５】
上記形態のラケットボール競技用コートの壁面構造は、前記縦枠部材、前記上部枠部材及び前記下部枠部材はアルミ材から形成することができる。
【００１６】
このような構成とすることにより、フレームの軽量化を図ることができ、施工作業も容易になる。また、熱膨張率の高いアルミ材でラケットボール競技用コートの壁面を形成しても熱による歪みが生じないようにすることができる。
【００１７】
上記形態の壁面構造を備えたラケットボール競技用コートを造成することができる。この競技用コートは、透明板材間に柱などが存在しないため、観戦者の視界が良好であり、競技を観戦しやすくすることができる。また、壁面が熱により歪みにくいためメンテナンスが容易になるなどのメリットがある。
【図面の簡単な説明】
【００１８】
【図１】本発明の一実施形態の壁面構造を用いたパデル競技用コートの一例を示した斜視図である。
【図２】本発明の一実施形態のパデル競技用コートの壁面構造を示し、コート側からフロントウォールを視認した正面図である。
【図３】図２の壁面構造に用いる上側枠部材の連結部付近を示した分解斜視図である。
【図４】図３の上側枠部材の連結部付近を示したコート側からの正面図である。
【図５】図３の上側枠部材の連結部付近を示した断面図である。
【図６】図２の壁面構造に用いる支持具付近の分解斜視図である。
【図７】図２の壁面構造に用いる下側枠部材を示した断面図である。
【発明を実施するための形態】
【００１９】
以下、本発明の一実施形態のラケットボール競技用コートの壁面構造を説明する。
本実施形態では、図１に例示するようなパデル競技用コートのフロントウォール又はバックウォールなどとして用いる場合を示すが、これに限定するものではない。ラケットボール競技は、ラケットでボールを壁面に打ち当てこともある競技、例えば、パデルの他、スカッシュなどを挙げることができる。
【００２０】
本発明の一実施形態のラケットボール競技用コートの壁面構造１は、図１又は図２などに示すように、上側枠部材２、縦枠部材３、下側枠部材４でフレームを構成し、上側枠部材２、下側枠部材４にガラスなどの透明板材５を固定してフロントウォール又はバックウォールを形成してある。なお、図２においては、手前側が透明板材５などを固定してあるコート側になる。以下、図２における、上下方向を縦方向、左右方向を横方向ともいう。
【００２１】
上側枠部材２は、図２〜図４などに示すように、壁面構造１の上側の横枠を構成するものであり、適宜間隔で縦方向に立ち上げた縦枠部材３の上端部に固定し、縦枠部材３間に架け渡してある。上側枠部材２のコート側には、ブラケット６を介して透明板材５を固定することができる。
上側枠部材２は、図３に示すように、２本の横枠部材２１を連結して長尺状に形成してあり、図４に示すように、横枠部材２１の間には隙間２２を設けてある。横枠部材２１は、断面矩形状の中空長尺材からなり、対向する側面部にリップ溝状の溝部２１ａを設けてある。横枠部材２１の端部付近には、図３に示すように、適宜箇所に円形状の孔部２１ｂが複数形成してあり、横枠部材２１同士を、連結具７ａ〜７ｄを用いて連結できるようにしてある。また、コート側の溝部２１ａ内には、円形状の孔部２１ｃが横方向に適宜間隔で設けてある。また、孔部２１ｃは縦方向に２箇所設けてある。
【００２２】
横枠部材２１の長さは、特に限定するものではないが、１ｍ〜１０ｍ、特に２ｍ〜５ｍにすることが好ましい。
隙間２２の間隔は、特に限定するものではないが、横枠部材２１の長さに対して０．１％〜３％、特に０．３％〜１％にするのが好ましい。具体的には、約１ｍｍ〜約１００ｍｍ、特に約５ｍｍ〜約３０ｍｍにすることが好ましい。
【００２３】
上側枠部材２には、図２などに示すように、コート側に向く溝部２１ａ内に適宜間隔でブラケット６が固定してある。
ブラケット６は、透明板材５を固定できるものであり、図３などに示すように、縦長長方形状の板材の高さ中間付近を断面台形状に膨出させた形状としてあり、膨出させて形成した面を膨出面部６１としてある。膨出面部６１には横長孔６２が形成してある。膨出面部６１の裏面側には、リップ溝形のナット挿入部６３が形成してあり、ナットの二面幅と略同幅に形成し、ナット６４が挿入できるようにしてある。ブラケット６の上端部及び下端部付近には、円形状の孔部６５が形成してあり、ボルトなどの締結部材６６を、ブラケット６の孔部６５と溝部２１ａの孔部２１ｃとに挿し通し、ブラケット６を上側枠部材２に固定できるようにしてある。
【００２４】
連結具７ａ〜７ｄは、横枠部材２１同士を連結するためのものである。
連結具７ａ〜７ｃは、図３などに示すように、長方形状の板材であり、適宜箇所に孔部７１が形成してあり、ボルトなどの締結部材７２を、孔部７１と横枠部材２１の孔部２１ｂに挿し通し、２本の横枠部材２１を連結できるようにしてある。
連結具７ｄも、図３又は図４などに示すように、横枠部材２１を連結できるものであるが、さらに、ブラケット６の機能も兼ね備え、透明板材５を固定できる。具体的には、横長方形状の板材の高さ中間付近を断面台形状に膨出させた形状としてあり、膨出して形成した面を膨出面部７３としてある。膨出面部７３の幅中間付近には横長孔７４が形成してある。膨出面部７３の裏面側には、リップ溝形のナット挿入部７５が形成してあり、ナットの二面幅と略同幅としてナット７６を挿入できるようにしてある。連結具７ｄの適宜箇所には、円形状の孔部７７が形成してあり、ボルトなどの締結部材７８を、孔部７７と横枠部材２１の孔部２１ｂに挿し通し、２本の横枠部材２１を連結できるようにしてある。
本実施形態では、上側枠部材２は横枠部材２１を２本連結して形成してあるが、これに限定するものではなく、ラケットボール競技用コートの壁面の大きさに合せて形成すればよく、例えば、３本〜５本の横枠部材２１を連結して形成してもよい。
【００２５】
縦枠部材３は、上側枠部材２を支持するものであり、横枠部材２１と同形状の部材を用いることができ、つまり、断面矩形状の中空長尺材からなり、対向する側面部にリップ溝状の溝部３ａを設けてある。
少なくとも２本の縦枠部材３を、適宜間隔を設けて縦方向に並列させて立ち上げ、その上端部に上側枠部材２の底面部を載せ置き、Ｌ型ブラケット（図示せず）などを用いて上側枠部材２と縦枠部材３とを固定してある。
縦枠部材３の長さは、特に限定するものではないが、１ｍ〜６ｍ、特に２ｍ〜４ｍにすることが好ましい。
【００２６】
縦枠部材３は、図６などに示すように、支持具８によりコンクリート床面などに固定してある。
支持具８は、矩形板状の固定部８１に、変形直角三角形板状の支持部８２を垂直状に立ち上げて形成してあり、支持部８２には縦長矩形パイプ状の接合部８３が形成してある。
固定部８１の四隅付近には、円形状の孔部８４が形成してあり、コンクリート床面などに埋設したアンカーボルトなどを挿し通し、支持具８を床面に固定できるようにしてある。
接合部８３は、縦枠部材３の下端部に嵌め込むことができる。接合部８３には、円形状の孔部８５が複数形成してあり、ボルトなどの締結部材８６を孔部８５と縦枠部材３の下端部付近に設けた孔部３１に挿し通し、縦枠部材３を支持具８に固定できる。
【００２７】
透明板材５は、ボールなどの衝撃に耐えられる透明ガラスや透明合成樹脂からなる矩形状板であり、複数の透明板材を隙間なく面一に配してフロントウォール又はバックウォールの壁面を形成してある。
透明板材５は、図５に示すように、上端部側に孔部５１を複数設けてあり、ねじなどの締結部材５２を孔部５１とブラケット６の横長孔６２又は連結具７ｄの横長孔７４に挿し通し、ナット６４，７６に締結して透明板材５を上側枠部材２に固定できるようにしてある。締結部材５２は、透明板材５の面上に凹凸ができないように皿ねじを用いることが好ましい。
透明板材５を横長孔６２，７４を介して上側枠部材２に固定することにより、上側枠部材２が熱により膨張しても吸収することができ、透明板材５に歪みが生じないようにすることができる。そのため、横長孔６２，７４の長径は、特に限定するものではないが、締結部材５２のねじ部径の１．２倍〜３倍にするのが好ましい。
【００２８】
縦枠部材３の下端部間には、図７に示すように、下側枠部材４を設けることができ、下側枠部材４は、透明板材５の下端部を固定することができる。
下側枠部材４は、断面Ｌ字型のアングル材から形成してなり、底面部４１を床面に固定してあり、底面部４１に設けた孔部４５を床面に設けたアンカーボルトなどに挿し通すことにより固定できる。底面部４１から垂直面部４２が垂直状に立ち上げてあり、透明板材５の下端部に接面させてある。垂直面部４２には、孔部４３が設けてあり、ねじなどの締結部材４４を孔部４３と透明板材５の下端部側に設けた孔部５３とに挿し通し、透明板材５を下側枠部材４と固定できる。孔部４３の径は、締結部材４４のねじ部径よりも大きく形成し、特に限定するものではないが、締結部材４４のねじ部径の１．２倍〜２倍にすることが好ましい。締結部材４４は、透明板材５の面上に凹凸ができないように皿ねじを用いることが好ましい。
【００２９】
下側枠部材４には、底面部４１の縁部と垂直面部４２の縁部とに架け渡すように、平板状の被覆部材４６が傾斜状に配してある。被覆部材４６は、底面部４１の縁部に回転可能に連結し、垂直面部４２の縁部にビスなどで固定してある。
下側枠部材４の長さは、縦枠部材２の間隔と略同じに形成するのが好ましく、特に限定するものではないが、１ｍ〜１０ｍ、特に２ｍ〜５ｍにすることが好ましい。
【００３０】
下側枠部材４は、図６に示すように、縦枠部材３と隙間４７を設けて配し、下側枠部材４が熱などにより膨張しても縦枠部材３を歪ませないようにしてある。隙間４７の間隔は、特に限定するものではないが、下側枠部材４の長さに対して０．１％〜３％、特に０．３％〜１％にするのが好ましい。具体的には、約１ｍｍ〜約１００ｍｍ、特に約５ｍｍ〜約３０ｍｍにすることが好ましい。
【００３１】
上側枠部材２、縦枠部材３及び下側枠部材４は、特に限定するものではないが、金属などから形成することができ、特に軽量化や腐食などの観点からアルミ材が好ましい。
【００３２】
以下、ラケットボール競技用コートの壁面構造１を用いた壁面の組立方法の一例を示す。
まず、横枠部材２１を連結して上側枠部材２を形成する。
横枠部材２１の端面同士を向い合わせ、隙間２２を設けながら、横枠部材２１の端部付近の各四面に連結具７ａ〜７ｄを接面させ、孔部２１ｂ及び孔部７１，７７に締結部材７２，７８を挿し通して、横枠部材２１を締結固定し、上側枠部材２を形成する。この際、連結具７ｄのナット挿入部７５にはナット７６を挿入しておく。隙間２２を設けるには、スペーサを配しておくのが好ましい。また、図５に示すように、横枠部材２１内部に四角柱状のパイプ材７９を配しておき、これに締結部材７２，７８を締結できるようにすることもできる。
その後、上側枠部材２の適宜位置にブラケット６を配し、ブラケット６の孔部６５と上側枠部材２の孔部２１ｃとに締結部材６６を挿し通し、上側枠部材２にブラケット６を固定する。また、ブラケット６のナット挿入部６３にはナット６４を挿入しておく。
【００３３】
次に、上側枠部材２に縦枠部材３を連結する。縦枠部材３の上端面を上部枠部材２の適宜位置の底面側に接面させてＬ型のブラケットなどを角部に配して固定する。
【００３４】
また、コートの周囲に基礎コンクリートを打設して床面を形成するとともに、支持具８や下側枠部材４を固定するためのアンカーボルトを床面に設置しておく。支持具８は、縦枠部材３を立ち上げる箇所に配し、固定部８１の孔部８４をアンカーボルトに挿し通して床面に固定する。この際、支持具８の接合部８３をコート側に向かせる。
固定した支持具８に縦枠部材３を固定する。上側枠部材２のブラケット６がコート面側を向くように配し、縦枠部材３を、支持具８の接合部８３に嵌め合せる。ボルトなどの締結部材８６を接合面部８３の孔部８５と縦枠部材３の孔部３１とに挿し通し、締結固定することができる。
【００３５】
縦枠部材３の下端部付近に、下側枠部材４を配する。下側枠部材４の孔部４５を床面に設けたアンカーボルトを挿し通しナットなどで固定する。この際、縦枠部材３と下側枠部材４との間に隙間４７を設けておく。隙間４７を設けるには、スペーサを配しておくのが好ましい。
【００３６】
上側枠部材２、縦枠部材３及び下側枠部材４を組み立ててフレームを形成した後、上側枠部材２及び下側枠部材４のコート側に、透明板材５を配する。
締結部材５２を透明板材５の上端部の孔部５１と横長孔７４とに挿し通し、ナット挿入部７５に配したナット７６に締結し、透明板材５を上側枠部材２に固定する。また、締結部材４４を透明板材５の下端部の孔部５３と下側枠部材４の孔部４３とに挿し通し、ナットなどで締結して、透明板材５を下側枠部材４に固定する。この際、締結部材５２，４４の頭部と透明板材５の間や透明板材５と上側枠部材２又は下側枠部材４との間に、ゴムブッシュやゴムパッキンなどを介装してもよい。
このようにして壁面構造１を用いた壁面を組み立てることができる。
【００３７】
壁面構造１は、透明板材５間に支柱などがないため、観戦者の視界が良好であり、競技を観戦しやすいものである。
上側枠部材２は、横枠部材２１同士を連結する際に隙間２２を設けてあり、また、縦枠部材３と下側枠部材４との間に隙間４７を設けてあるため、上側枠部材２又は下側枠部材４が熱により膨張しても縦枠部材３に影響を及ぼさずフレームに歪みを生じにくい。透明板材５は上側枠部材２に横長孔６２，７４を介して固定してあるため、上側枠部材２が熱により膨張しても透明板材５に影響が及ばず歪みが生じにくい。つまり、壁面は平坦面を保つことができる。
【００３８】
上記実施形態の構成態様は、本発明を限定するものとして挙げたものではなく、技術目的を共通にするかぎり変更は可能であり、本発明はそのような変更を含むものである。
【符号の説明】
【００３９】
１  ラケットボール競技用コートの壁面構造
２  上側枠部材
２１  横枠部材
２１ａ  溝部
２１ｂ  孔部
２２  隙間
３  縦枠部材
３ａ  溝部
３１  孔部
４  下側枠部材
４１  底面部
４２  垂直面部
４３  孔部
４４  締結部材
４５  孔部
４６  被覆部材
４７  隙間
５  透明板材
５１  孔部
５２  締結部材
５３  孔部
６  ブラケット
６１  膨出面部
６２  横長孔
６３  ナット挿入部
６４  ナット
６５  孔部
６６  締結部材
７ａ〜７ｄ  連結具
７１  孔部
７２  締結部材
７３  膨出面部
７４  横長孔
７５  ナット挿入部
７６  ナット
７７  孔部
７８  締結部材
８  支持具
８１  固定部
８２  支持部
８３  接合部
８４  孔部
８５  孔部
８６  締結部材
【要約】      （修正有）【課題】観戦者の視界を良好にし、競技を観戦しやすくし、さらには、フレームと透明板材との熱膨張差による壁面の歪みが生じにくいラケットボール競技用コートの壁面構造を提供する。【解決手段】ラケットボール競技用コートの壁面構造は、適宜間隔を設けて立ち上がる少なくとも２本の縦枠部材と、少なくとも２本の横枠部材２１を隙間を設けて連結して形成してあり、縦枠部材の上端部側に架け渡した上側枠部材と、横長孔を有し、上側枠部材に固定するブラケット７ｄと、面一に並列させた複数の透明板材５に設けた孔部５１に挿し通しつつ、横長孔に挿し通して固定する締結部材５２と、を備える。【選択図】図５【図１】
0006027277.tif 000002
【図２】
0006027277.tif 000003
【図３】
0006027277.tif 000004
【図４】
0006027277.tif 000005
【図５】
0006027277.tif 000006
【図６】
0006027277.tif 000007
【図７】
0006027277.tif 000008